(57)【要約】【課題】  第１通信システムから第２通信システムにフォワーディングデータが転送される場合に、フォワーディングデータの転送経路が正常であるか否かをフォワーディングデータの受信側で検出することを可能とする移動通信システム、ネットワーク装置及び移動通信方法を提供する。【解決手段】  ネットワーク装置２０は、第１通信システムから第２通信システムへの遷移が決定された遷移回数をユーザ毎に計数する。ネットワーク装置２０は、フォワーディングデータの転送経路を介して、ユーザを特定可能な情報を受信した受信成功回数をユーザ毎に計数する。ネットワーク装置２０は、遷移回数と受信成功回数との比率に基づいて、フォワーディングデータの転送経路が正常であるか否かを判定する。【選択図】  図３
2011229025.tif 000002
【特許請求の範囲】
【請求項１】
第１通信システム及び第２通信システムを有しており、前記第１通信システムから前記第２通信システムへの遷移が決定された場合に、前記第１通信システムがコアネットワーク装置から既に受信しているフォワーディングデータを前記第１通信システムから前記第２通信システムに転送するように構成された移動通信システムであって、
前記第２通信システムを経由して移動通信端末にダイレクトデータを送信するネットワーク装置は、前記第１通信システムから前記第２通信システムへの遷移が決定された遷移回数をユーザ毎に計数し、
前記ネットワーク装置は、前記フォワーディングデータの転送経路を介して、ユーザを特定可能な情報を受信した受信成功回数をユーザ毎に計数し、
前記ネットワーク装置は、前記遷移回数と前記受信成功回数との比率に基づいて、前記フォワーディングデータの転送経路が正常であるか否かを判定することを特徴とする移動通信システム。
【請求項２】
前記ネットワーク装置は、前記第２通信システムで無線リソースを制御するように構成された装置であり、
前記ネットワーク装置は、前記コアネットワーク装置から受信する前記第１通信システムから前記第２通信システムへの遷移要求、或いは、前記移動通信端末から受信する前記第１通信システムから前記第２通信システムへの遷移完了に基づいて、前記遷移回数を計数することを特徴とする請求項１に記載の移動通信システム。
【請求項３】
前記ネットワーク装置は、前記コアネットワーク装置であり、
前記ネットワーク装置は、前記第１通信システムから前記第２通信システムへの遷移前において、前記第１通信システムに前記ダイレクトデータを送信し、
前記ネットワーク装置は、前記第１通信システムから前記第２通信システムへの遷移後において、前記第２通信システムに前記ダイレクトデータを送信し、
前記ネットワーク装置は、最後のフォワーディングデータを示すエンドマーカを前記第１通信システムに送信した回数に基づいて、前記遷移回数を計数することを特徴とする請求項１に記載の移動通信システム。
【請求項４】
前記ネットワーク装置は、前記コアネットワーク装置であり、
前記ネットワーク装置は、前記第１通信システムから前記第２通信システムへの遷移後において、前記第２通信システムに前記ダイレクトデータを送信し、
前記ネットワーク装置は、前記第１通信システムから前記第２通信システムへの遷移後において、前記第１通信システムから受信する前記フォワーディングデータを前記第２通信システムに転送し、
前記ネットワーク装置は、前記第１通信システムから受信する前記フォワーディングデータの転送要求に基づいて、前記遷移回数を計数することを特徴とする請求項１に記載の移動通信システム。
【請求項５】
第１通信システム及び第２通信システムを有しており、前記第１通信システムから前記第２通信システムへの遷移が決定された場合に、前記第１通信システムがコアネットワーク装置から既に受信しているフォワーディングデータを前記第１通信システムから前記第２通信システムに転送するように構成された移動通信システムにおいて、前記第２通信システムを経由して移動通信端末にダイレクトデータを送信するネットワーク装置は、
前記第１通信システムから前記第２通信システムへの遷移が決定された遷移回数をユーザ毎に計数するように構成された遷移回数計数部と、
前記フォワーディングデータの転送経路を介して、ユーザを特定可能な情報を受信した受信成功回数をユーザ毎に計数するように構成された受信成功回数計数部と、
前記遷移回数と前記受信成功回数との比率に基づいて、前記フォワーディングデータの転送経路が正常であるか否かを判定するように構成された判定部とを備えることを特徴とするネットワーク装置。
【請求項６】
第１通信システム及び第２通信システムを有しており、前記第１通信システムから前記第２通信システムへの遷移が決定された場合に、前記第１通信システムがコアネットワーク装置から既に受信しているフォワーディングデータを前記第１通信システムから前記第２通信システムに転送するように構成された移動通信システムで用いられる移動通信方法であって、
前記第２通信システムを経由して移動通信端末にダイレクトデータを送信するネットワーク装置が、前記第１通信システムから前記第２通信システムへの遷移が決定された遷移回数をユーザ毎に計数するステップと、
前記ネットワーク装置が、前記フォワーディングデータの転送経路を介して、ユーザを特定可能な情報を受信した受信成功回数をユーザ毎に計数するステップと、
前記ネットワーク装置が、前記遷移回数と前記受信成功回数との比率に基づいて、前記フォワーディングデータの転送経路が正常であるか否かを判定するステップとを備えることを特徴とする移動通信方法。
【発明の詳細な説明】
【技術分野】
【０００１】
本発明は、第１通信システム及び第２通信システムを有する移動通信システム、移動通信システムに設けられるネットワーク装置及び移動通信システムで用いられる移動通信方法に関する。
【背景技術】
【０００２】
移動通信システムにおいて、移動通信端末（ＵＥ）が第１通信システム（第１ＲＡＴ（Ｒａｄｉｏ  Ａｃｃｅｓｓ  Ｔｅｃｈｎｏｒｏｌｇｙ））から第２通信システム（第２ＲＡＴ）への接続を行う手順として、Ｉｎｔｅｒ−ＲＡＴハンドオーバが知られている。
【０００３】
ここで、Ｉｎｔｅｒ−ＲＡＴハンドオーバでは、第１通信システムから第２通信システムへの遷移（Ｐａｔｈ  Ｓｗｉｔｃｈ）が決定された時点において、第１通信システムが既に受信しているデータ（パケット）を第１通信システムから第２通信システムに転送する技術（Ｆｏｒｗａｒｄｉｎｇ技術）が知られている（例えば、特許文献１、２）。
【０００４】
また、Ｉｎｔｅｒ−ＲＡＴハンドオーバでは、第１通信システムから転送されるデータ（以下、フォワーディングデータ）及び第２通信システムがコアネットワークから直接的に受信するデータ（以下、ダイレクトデータ）の並べ替えを行う技術（Ｒｅｏｒｄｅｒｉｎｇ技術）が知られている。
【０００５】
ここで、Ｉｎｔｅｒ−ＲＡＴハンドオーバでは、第１通信システムから転送されるフォワーディングデータが最後のデータであることを示すエンドマーカが利用される。第２通信システムは、第１通信システムからエンドマーカが転送された場合に、ダイレクトデータの送信を開始するように構成される。
【先行技術文献】
【特許文献】
【０００６】
【特許文献１】特開２００８−０４１３２９
【特許文献２】特開２００８−２３６２６９
【発明の概要】
【発明が解決しようとする課題】
【０００７】
ところで、第１通信システムと第２通信システムとの間でフォワーディングデータが転送される経路は、制御プレーン（Ｃ−ＰＬＡＮＥ）ではなくて、ユーザプレーン（Ｕ−ＰＬＡＮＥ）である。
【０００８】
第１通信システム（送信側）は、第２通信システム（受信側）に設けられる装置のＩＰアドレスやＰＯＲＴ番号を入手できるため、第２通信システムに対して返信を要求するパケット（例えば、ＥＣＨＯパケット）の送信によって、フォワーディングデータの転送経路が正常であるか否かを検出することができる。
【０００９】
しかしながら、第２通信システム（受信側）は、第１通信システムに設けられる装置のＩＰアドレスやＰＯＲＴ番号を入手できないため、第１通信システムに対して返信を要求するパケット（例えば、ＥＣＨＯパケット）を送信できず、フォワーディングデータの転送経路が正常であるか否かを検出することができない。
【００１０】
そこで、本発明は、上述した課題を解決するためになされてものであり、第１通信システムから第２通信システムにフォワーディングデータが転送される場合に、フォワーディングデータの転送経路が正常であるか否かをフォワーディングデータの受信側で検出することを可能とする移動通信システム、ネットワーク装置及び移動通信方法を提供することを目的とする。
【課題を解決するための手段】
【００１１】
第１の特徴に係る移動通信システムは、第１通信システム及び第２通信システムを有する。移動通信システムは、前記第１通信システムから前記第２通信システムへの遷移が決定された場合に、前記第１通信システムがコアネットワーク装置から既に受信しているフォワーディングデータを前記第１通信システムから前記第２通信システムに転送するように構成される。前記第２通信システムを経由して移動通信端末にダイレクトデータを送信するネットワーク装置は、前記第１通信システムから前記第２通信システムへの遷移が決定された遷移回数をユーザ毎に計数する。前記ネットワーク装置は、前記フォワーディングデータの転送経路を介して、ユーザを特定可能な情報を受信した受信成功回数をユーザ毎に計数する。前記ネットワーク装置は、前記遷移回数と前記受信成功回数との比率に基づいて、前記フォワーディングデータの転送経路が正常であるか否かを判定する。
【００１２】
第１の特徴において、前記ネットワーク装置は、前記第２通信システムで無線リソースを制御するように構成された装置である。前記ネットワーク装置は、前記コアネットワーク装置から受信する前記第１通信システムから前記第２通信システムへの遷移要求、或いは、前記移動通信端末から受信する前記第１通信システムから前記第２通信システムへの遷移完了に基づいて、前記遷移回数を計数する。
【００１３】
第１の特徴において、前記ネットワーク装置は、前記コアネットワーク装置である。前記ネットワーク装置は、前記第１通信システムから前記第２通信システムへの遷移前において、前記第１通信システムに前記ダイレクトデータを送信する。前記ネットワーク装置は、前記第１通信システムから前記第２通信システムへの遷移後において、前記第２通信システムに前記ダイレクトデータを送信する。前記ネットワーク装置は、最後のフォワーディングデータを示すエンドマーカを前記第１通信システムに送信した回数に基づいて、前記遷移回数を計数する。
【００１４】
第１の特徴において、前記ネットワーク装置は、前記コアネットワーク装置である。前記ネットワーク装置は、前記第１通信システムから前記第２通信システムへの遷移後において、前記第２通信システムに前記ダイレクトデータを送信する。前記ネットワーク装置は、前記第１通信システムから前記第２通信システムへの遷移後において、前記第１通信システムから受信する前記フォワーディングデータを前記第２通信システムに転送する。前記ネットワーク装置は、前記第１通信システムから受信する前記フォワーディングデータの転送要求に基づいて、前記遷移回数を計数する。
【００１５】
第２の特徴に係るネットワーク装置は、第１通信システム及び第２通信システムを有する移動通信システムにおいて、前記第２通信システムを経由して移動通信端末にダイレクトデータを送信する。移動通信システムは、前記第１通信システムから前記第２通信システムへの遷移が決定された場合に、前記第１通信システムがコアネットワーク装置から既に受信しているフォワーディングデータを前記第１通信システムから前記第２通信システムに転送するように構成される。ネットワーク装置は、前記第１通信システムから前記第２通信システムへの遷移が決定された遷移回数をユーザ毎に計数するように構成された遷移回数計数部と、前記フォワーディングデータの転送経路を介して、ユーザを特定可能な情報を受信した受信成功回数をユーザ毎に計数するように構成された受信成功回数計数部と、前記遷移回数と前記受信成功回数との比率に基づいて、前記フォワーディングデータの転送経路が正常であるか否かを判定するように構成された判定部とを備える。
【００１６】
第３の特徴に係る移動通信方法は、第１通信システム及び第２通信システムを有する移動通信システムで用いられる。移動通信システムは、前記第１通信システムから前記第２通信システムへの遷移が決定された場合に、前記第１通信システムがコアネットワーク装置から既に受信しているフォワーディングデータを前記第１通信システムから前記第２通信システムに転送するように構成される。移動通信方法は、前記第２通信システムを経由して移動通信端末にダイレクトデータを送信するネットワーク装置が、前記第１通信システムから前記第２通信システムへの遷移が決定された遷移回数をユーザ毎に計数するステップと、前記ネットワーク装置が、前記フォワーディングデータの転送経路を介して、ユーザを特定可能な情報を受信した受信成功回数をユーザ毎に計数するステップと、前記ネットワーク装置が、前記遷移回数と前記受信成功回数との比率に基づいて、前記フォワーディングデータの転送経路が正常であるか否かを判定するステップとを備える。
【発明の効果】
【００１７】
本発明によれば、第１通信システムから第２通信システムにフォワーディングデータが転送される場合に、フォワーディングデータの転送経路が正常であるか否かをフォワーディングデータの受信側で検出することを可能とする移動通信システム、ネットワーク装置及び移動通信方法を提供することができる。
【図面の簡単な説明】
【００１８】
【図１】第１実施形態に係る移動通信システム１００を示す図である。
【図２】第１実施形態に係るネットワーク装置２０を示すブロック図である。
【図３】変更例１に係るフォワーディングデータの転送経路を示す図である。
【図４】変更例２に係るフォワーディングデータの転送経路を示す図である。
【発明を実施するための形態】
【００１９】
以下において、本発明の実施形態に係る移動通信システムについて、図面を参照しながら説明する。なお、以下の図面の記載において、同一又は類似の部分には、同一又は類似の符号を付している。
【００２０】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２１】
［実施形態の概要］
実施形態に係る移動通信システムは、第１通信システム及び第２通信システムを有する。移動通信システムは、第１通信システムから第２通信システムへの遷移が決定された場合に、第１通信システムがコアネットワーク装置から既に受信しているフォワーディングデータを第１通信システムから第２通信システムに転送するように構成される。第２通信システムを経由して移動通信端末にダイレクトデータを送信するネットワーク装置は、第１通信システムから第２通信システムへの遷移が決定された遷移回数をユーザ毎に計数する。ネットワーク装置は、フォワーディングデータの転送経路を介して、ユーザを特定可能な情報を受信した受信成功回数をユーザ毎に計数する。ネットワーク装置は、遷移回数と受信成功回数との比率に基づいて、フォワーディングデータの転送経路が正常であるか否かを判定する。
【００２２】
実施形態では、ネットワーク装置は、遷移回数と受信成功回数との比率に基づいて、フォワーディングデータの転送経路が正常であるか否かを判定する。従って、フォワーディングデータの転送経路が正常であるか否かをフォワーディングデータの受信側で検出することできる。
【００２３】
［第１実施形態］
（移動通信システムの構成）
以下において、第１実施形態に係る移動通信システムの構成について、図面を参照しながら説明する。図１は、第１実施形態に係る移動通信システム１００を示す図である。
【００２４】
図１に示すように、移動通信システム１００は、通信端末装置１０（以下、ＵＥ１０）と、コアネットワーク５０とを含む。また、移動通信システム１００は、第１通信システムと第２通信システムとを含む。
【００２５】
第１通信システムは、例えば、ＬＴＥ（Ｌｏｎｇ  Ｔｅｒｍ  Ｅｖｏｌｕｔｉｏｎ）に対応する通信システムである。第１通信システムは、例えば、基地局２１０（以下、ｅＮＢ２１０）と、ＭＭＥ２３０とを有する。なお、第１通信システムでは、第１ＲＡＴ（Ｒａｄｉｏ  Ａｃｃｅｓｓ  Ｔｅｃｈｎｏｒｏｌｇｙ）が用いられる。
【００２６】
第２通信システムは、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システムである。第２通信システムは、基地局１１０（以下、ＮＢ１１０）と、ＲＮＣ１２０と、ＳＧＳＮ１３０とを有する。なお、第２通信システムでは、第２ＲＡＴ（Ｒａｄｉｏ  Ａｃｃｅｓｓ  Ｔｅｃｈｎｏｒｏｌｇｙ）が用いられる。
【００２７】
ＵＥ１０は、第１通信システム及び第２通信システムと通信を行うように構成された装置（Ｕｓｅｒ  Ｅｑｕｉｐｍｅｎｔ）である。例えば、ＵＥ１０は、ＮＢ１１０と無線通信を行う機能を有するとともに、ｅＮＢ２１０と無線通信を行う機能を有する。
【００２８】
ＮＢ１１０は、セル１１１を有しており、セル１１１に存在するＵＥ１０と無線通信を行う装置（ＮｏｄｅＢ）である。
【００２９】
ＲＮＣ１２０は、ＮＢ１１０に接続されており、セル１１１に存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００３０】
ＳＧＳＮ１３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ１３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００３１】
ｅＮＢ２１０は、セル２１１を有しており、セル２１１に存在するＵＥ１０と無線通信を行う装置（ｅｖｏｌｖｅｄ  ＮｏｄｅＢ）である。
【００３２】
ＭＭＥ２３０は、ｅＮＢ２１０と無線接続を設定しているＵＥ１０の移動性を管理する装置（Ｍｏｂｉｌｉｔｙ  Ｍａｎａｇｅｍｅｎｔ  Ｅｎｔｉｔｙ）である。ＭＭＥ２３０は、コアネットワーク５０に設けられる。
【００３３】
なお、セルは、ＵＥ１０と無線通信を行う機能として理解すべきである。但し、セルは、セルと通信可能な範囲を示すサービスエリアと考えてもよい。セルは、セルで用いられる周波数、拡散コード又はタイムスロットなどによって識別される。
【００３４】
ここで、コアネットワーク５０は、ＳＧＷ３１０と、ＰＤＮ−ＧＷ３２０とを有する。
【００３５】
ＳＧＷ３１０は、第１通信システムと第２通信システムとの間のインタフェースとして機能する装置（Ｓｅｒｖｉｎｇ  Ｇａｔｅｗａｙ）である。
【００３６】
ここで、ＳＧＷ３１０は、第１通信システムから第２通信システムへの遷移前において、第１通信システムにダイレクトデータを送信する。ＳＧＷ３１０は、第１通信システムから第２通信システムへの遷移後において、第２通信システムにダイレクトデータを送信する。
【００３７】
ＰＤＮ−ＧＷ３２０は、コアネットワーク５０と外部ネットワーク（例えば、ＷｉＭＡＸなど）との間のインタフェースとして機能する装置（Ｐａｃｋｅｔ  Ｄａｔａ  Ｎｅｔｗｏｒｋ  Ｇａｔｅｗａｙ）である。ＰＤＮ−ＧＷ３２０は、ユーザに対する課金を処理する機能を有する。
【００３８】
第１実施形態では、第１通信システムから第２通信システムへの遷移（Ｉｎｔｅｒ−ＲＡＴハンドオーバ）について例示する。Ｉｎｔｅｒ−ＲＡＴハンドオーバが決定された場合に、第１通信システムが既に受信しているデータ（パケット）が第１通信システムから第２通信システムに転送される（Ｆｏｒｗａｒｄｉｎｇ技術）。また、第２通信システムは、第１通信システムから転送されるフォワーディングデータ及びコアネットワーク５０から受信するダイレクトデータの並べ替えを行う（Ｒｅｏｒｄｅｒｉｎｇ技術）。
【００３９】
また、第１実施形態では、第２通信システムは、第１通信システムから転送されるフォワーディングデータが最後のデータであることを示すエンドマーカが第１通信システムから転送された場合に、ダイレクトデータの送信を開始する。
【００４０】
なお、フォワーディングデータは、ユーザプレーン（Ｕ−ＰＬＡＮＥ）を経由して第１通信システムから第２通信システムに転送されることに留意すべきである。
【００４１】
（ネットワーク装置の構成）
以下において、第１実施形態に係るネットワーク装置の構成について、図面を参照しながら説明する。図２は、第１実施形態に係るネットワーク装置２０を示す図である。
【００４２】
第１実施形態では、ネットワーク装置２０は、第２通信システムを経由してＵＥ１０にダイレクトデータを送信する。例えば、ネットワーク装置２０は、ＲＮＣ１２０である。図２に示すように、ネットワーク装置２０は、通信部２１と、遷移回数計数部２２と、成功回数計数部２３と、制御部２４とを有する。
【００４３】
通信部２１は、他のネットワーク装置と通信を行う。例えば、通信部２１は、第１通信システムに設けられるネットワーク装置（例えば、ｅＮＢ２１０又はＭＭＥ２３０）からフォワーディングデータを受信する。或いは、通信部２１は、ＳＧＳＮ１３０を経由してフォワーディングデータを受信してもよい。或いは、通信部２１は、コアネットワーク５０に設けられるネットワーク装置（例えば、ＳＧＷ３１０）を経由してフォワーディングデータを受信してもよい。また、通信部２１は、コアネットワーク５０に設けられるネットワーク装置（例えば、ＳＧＷ３１０）からダイレクトデータを受信する。
【００４４】
通信部２１は、ＵＥ１０と通信を行う。例えば、通信部２１は、フォワーディングデータをＵＥ１０に送信する。また、通信部２１は、ダイレクトデータをＵＥ１０に送信する。
【００４５】
遷移回数計数部２２は、第１通信システムから第２通信システムへの遷移が決定された遷移回数をユーザ毎に計数する。
【００４６】
例えば、ネットワーク装置２０がＲＮＣ１２０である場合には、遷移回数計数部２２は、コアネットワーク５０（ＳＧＳＮ１３０）から受信する第１通信システムから第２通信システムへの遷移要求（例えば、“Ｒｅｌｏｃａｔｉｏｎ  Ｒｅｑｕｅｓｔ”）に基づいて、遷移回数を計数する。遷移要求（例えば、“Ｒｅｌｏｃａｔｉｏｎ  Ｒｅｑｕｅｓｔ”）は、ユーザを識別可能な情報（例えば、“ＲＡＢ（Ｒａｄｉｏ  Ａｃｃｅｓｓ  Ｂｅａｒｅｒ）  ＩＤ”）を含む。或いは、遷移回数計数部２２は、ＵＥ１０から受信する第１通信システムから第２通信システムへの遷移完了（例えば、“Ｈａｎｄｏｖｅｒ  ｔｏ  ＵＴＲＡＮ  Ｃｏｍｐｌｅｔｅ”）に基づいて、遷移回数を計数する。遷移完了（例えば、“Ｈａｎｄｏｖｅｒ  ｔｏ  ＵＴＲＡＮ  Ｃｏｍｐｌｅｔｅ”）は、ユーザを識別可能な情報（例えば、“ＲＮＴＩ（Ｒａｄｉｏ  Ｎｅｔｗｏｒｋ  Ｔｅｍｐｏｒａｒｙ  Ｉｄｅｎｔｉｆｉｅｒ”）を含む。
【００４７】
成功回数計数部２３は、フォワーディングデータの転送経路を介して、ユーザを特定可能な情報を受信した受信成功回数をユーザ毎に計数する。
【００４８】
例えば、ユーザを特定可能な情報は、フォワーディングデータのヘッダに含まれる情報（ＴＥＩＤ；Ｔｕｎｎｅｌ  Ｅｎｄｐｏｉｎｔ  Ｉｄｅｎｔｉｆｉｅｒ）であってもよい。或いは、ユーザを特定可能な情報は、最後のフォワーディングデータを示すエンドマーカに含まれる情報（ＴＥＩＤ；Ｔｕｎｎｅｌ  Ｅｎｄｐｏｉｎｔ  Ｉｄｅｎｔｉｆｉｅｒ）であってもよい。
【００４９】
ここで、受信成功回数は、１ユーザについて、“１”インクリメントされる。すなわち、成功回数計数部２３は、ユーザを特定可能な情報を１ユーザから複数回受信しても、受信成功回数を“１”インクリメントするのみである。
【００５０】
制御部２４は、ネットワーク装置２０を制御する。例えば、制御部２４は、第１通信システムから転送されるフォワーディングデータ及びコアネットワーク５０から受信するダイレクトデータの並べ替えを行う（Ｒｅｏｒｄｅｒｉｎｇ技術）。
【００５１】
ここで、制御部２４は、遷移回数と受信成功回数との比率に基づいて、フォワーディングデータの転送経路が正常であるか否かを判定する。例えば、制御部２４は、遷移回数に占める受信成功回数の比率が所定閾値よりも低い場合に、フォワーディングデータの転送経路が正常ではないと判定する。
【００５２】
なお、フォワーディングデータの転送経路が正常ではないと判定された場合には、例えば、制御部２４は、以下の処理を行う。
【００５３】
（１）制御部２４は、フォワーディングデータの転送経路（Ｕ−ＰＬＡＮＥ）が切断されたと判断して、制御プレーン（Ｃ−ＰＬＡＮＥ）経路を用いて、当該Ｕ−ＰＬＡＮＥを利用するユーザの呼を切断する。
【００５４】
（２）制御部２４は、フォワーディングデータの転送経路（Ｕ−ＰＬＡＮＥ）を利用するユーザに対して課金しない旨をＰＤＮ−ＧＷ３２０に通知する。例えば、第１通信システムから転送されなかったフォワーディングデータと対応する期間やパケット量などに応じて、非課金とすべき金額が算出される。
【００５５】
（３）制御部２４は、フォワーディングデータの転送経路（Ｕ−ＰＬＡＮＥ）が切断されたと判断して、オペレータが管理するオペレーション経路を用いて、当該Ｕ−ＰＬＡＮＥが切断されている旨を通知する。
【００５６】
（作用及び効果）
第１実施形態では、ネットワーク装置２０は、遷移回数と受信成功回数との比率に基づいて、フォワーディングデータの転送経路が正常であるか否かを判定する。従って、フォワーディングデータの転送経路が正常であるか否かをフォワーディングデータの受信側で検出することできる。
【００５７】
［変更例１］
以下において、第１実施形態の変更例１について、図面を参照しながら説明する。以下においては、第１実施形態との相違点について主として説明する。
【００５８】
第１実施形態では、ＬＴＥからＵＭＴＳへの遷移におけるＲＮＣ１２０の動作について例示した。ＬＴＥからＵＭＴＳへの遷移において、フォワーディングデータの転送経路毎に各ネットワーク装置の動作について説明する。
【００５９】
（１）ｅＮＢ２１０→ＳＧＷ３１０→ＲＮＣ１２０
このようなケースでは、上述したネットワーク装置２０は、ＲＮＣ１２０又はＳＧＷ３１０である。ネットワーク装置２０がＲＮＣ１２０であるケースは、第１実施形態と同様であるため、その説明について省略する。
【００６０】
ネットワーク装置２０がＳＧＷ３１０であるケースについて説明する。ＳＧＷ３１０は、最後のフォワーディングデータを示すエンドマーカを第１通信システムに送信した回数に基づいて、遷移回数を計数する。或いは、ＳＧＷ３１０は、第１通信システムから受信するフォワーディングデータの転送要求（例えば、“Ｆｏｒｗａｒｄ  Ｒｅｌｏｃａｔｉｏｎ  Ｒｅｑｕｅｓｔ”）に基づいて、遷移回数を計数する。なお、受信成功回数の計数方法は、第１実施形態と同様であるため、その説明を省略する。
【００６１】
ＳＧＷ３１０は、第１通信システムから第２通信システムへの遷移前において、第１通信システムにダイレクトデータを送信し、第１通信システムから第２通信システムへの遷移後において、第２通信システムにダイレクトデータを送信することに留意すべきである。
【００６２】
（２）ｅＮＢ２１０→ＳＧＳＮ１３０→ＲＮＣ１２０
このようなケースでは、上述したネットワーク装置２０は、ＲＮＣ１２０又はＳＧＳＮ１３０である。ネットワーク装置２０がＲＮＣ１２０であるケースは、第１実施形態と同様であるため、その説明について省略する。
【００６３】
ネットワーク装置２０がＳＧＳＮ１３０であるケースについて説明する。ＳＧＳＮ１３０は、第１通信システムから第２通信システムへの遷移要求（例えば、“Ｒｅｌｏｃａｔｉｏｎ  Ｒｅｑｕｅｓｔ”）の送信回数に基づいて、遷移回数を計数する。なお、受信成功回数の計数方法は、第１実施形態と同様であるため、その説明を省略する。
【００６４】
なお、ＳＧＳＮ１３０は、第１通信システムから第２通信システムへの遷移後において、第２通信システムにダイレクトデータを送信し、第１通信システムから第２通信システムへの遷移後において、第１通信システムから受信するフォワーディングデータを第２通信システムに転送することに留意すべきである。
【００６５】
（３）ｅＮＢ２１０→ＲＮＣ１２０
このようなケースでは、上述したネットワーク装置２０は、ＲＮＣ１２０である。ネットワーク装置２０がＲＮＣ１２０であるケースは、第１実施形態と同様であるため、その説明について省略する。
【００６６】
［変更例２］
以下において、第１実施形態の変更例２について、図面を参照しながら説明する。以下においては、第１実施形態との相違点について主として説明する。
【００６７】
第１実施形態では、ＬＴＥからＵＭＴＳへの遷移におけるＲＮＣ１２０の動作について例示した。ＵＭＴＳからＬＴＥへの遷移において、フォワーディングデータの転送経路毎に各ネットワーク装置の動作について説明する。すなわち、第１通信システムがＵＭＴＳであり、第２通信システムがＬＴＥであるケースについて説明する。
【００６８】
（１）ＲＮＣ１２０→ＳＧＷ３１０→ｅＮＢ２１０
このようなケースでは、上述したネットワーク装置２０は、ｅＮＢ２１０又はＳＧＷ３１０である。ネットワーク装置２０がＳＧＷ３１０であるケースは、変更例１と同様であるため、その説明について省略する。
【００６９】
ネットワーク装置２０がｅＮＢ２１０であるケースでは、ｅＮＢ２１０は、コアネットワーク装置から受信する第１通信システムから第２通信システムへの遷移要求（例えば、“Ｈａｎｄｏｖｅｒ  Ｒｅｑｕｅｓｔ”）に基づいて、遷移回数を計数する。或いは、ｅＮＢ２１０は、ＵＥ１０から受信する第１通信システムから第２通信システムへの遷移完了（例えば、“Ｈａｎｄｏｖｅｒ  ｔｏ  Ｅ−ＵＴＲＡＮ  Ｃｏｍｐｌｅｔｅ”）に基づいて、遷移回数を計数する。なお、受信成功回数の計数方法は、第１実施形態と同様であるため、その説明を省略する。
【００７０】
（２）ＲＮＣ１２０→ＳＧＳＮ１３０→ｅＮＢ２１０
このようなケースでは、上述したネットワーク装置２０は、ｅＮＢ２１０である。ネットワーク装置２０がｅＮＢ２１０であるケースは、上述した（１）と同様であるため、その説明について省略する。
【００７１】
（３）ＲＮＣ１２０→ｅＮＢ２１０
このようなケースでは、上述したネットワーク装置２０は、ｅＮＢ２１０である。ネットワーク装置２０がｅＮＢ２１０であるケースは、上述した（１）と同様であるため、その説明について省略する。
【００７２】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７３】
上述した実施形態では、第１通信システムがＵＭＴＳに対応する通信システムであり、第２通信システムがＬＴＥに対応する通信システムである。しかしながら、実施形態は、これに限定されるものではない。具体的には、第１通信システム及び第２通信システムは、ＵＭＴＳやＬＴＥに対応する通信システムに限定されるものではなく、他の通信システム（例えば、ＷｉＭＡＸに対応する通信システム）であってもよい。
【００７４】
上述した実施形態では、Ｉｎｔｅｒ−ＲＡＴハンドオーバの手順の詳細について省略したが、Ｉｎｔｅｒ−ＲＡＴハンドオーバの手順は、既知の手順である（例えば、３ＧＰＰ  ＴＳ２３．４０１  ｖ９．０．０  Ｓｕｂｃｌａｕｓｅ  ５．５．２  “Ｉｎｔｅｒ  ＲＡＴ  ｈａｎｄｏｖｅｒ”）。
【００７５】
なお、上述したネットワーク装置２０の動作は、ハードウェアによって実施されてもよいし、プロセッサによって実行されるソフトウェアモジュールによって実施されてもよいし、両者の組み合わせによって実施されてもよい。
【００７６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ネットワーク装置２０内に設けられていてもよい。また、かかる記憶媒体及びプロセッサは、ディスクリートコンポーネントとしてネットワーク装置２０内に設けられていてもよい。
【符号の説明】
【００７８】
１０…通信端末装置、２０…ネットワーク装置、２１…通信部、２２…遷移回数計数部、２３…成功回数計数部、２４…制御部、３０…無線制御装置、５０…コアネットワーク、１００…移動通信システム、１１０…ＮＢ、１１１…セル、１２０…ＲＮＣ、１３０…ＳＧＳＮ、２１０…ｅＮＢ、２１１…セル、２３０…ＭＭＥ、３１０…ＳＧＷ、３２０…ＰＤＮ−ＧＷ
【図１】
2011229025.tif 000003
【図２】
2011229025.tif 000004
【図３】
2011229025.tif 000005
【図４】
2011229025.tif 000006